(57)【要約】【課題】撮像された画像の内容に応じて境界線を斜線にすることにより、つなぎ合わせ処理を容易且つ正確に行なうことができるパノラマ画像撮像技術を提供する。【解決手段】本発明は、画像を取り込む取込手段と、取り込んだ画像を記憶する記憶手段と、画像を表示する表示画面と、既に撮像された画面と後につなぎ合わされた画面との境界線部分のズレを補正する補正手段とを備えたパノラマ撮像画像装置を対象とする。本発明に係るパノラマ画像撮像装置は、既に撮像された画像を表示画面に固定して表示し、当該画像の境界線に現在撮像中の画像を同時に表示してつなぎ合わせる際、撮像される画像に応じて上記画像の境界線を表示画面上において斜線とすることができる。【選択図】　図６
2004120226.tif 000002
【特許請求の範囲】
【請求項１】
画像を取り込む取込手段と、取り込んだ画像を記憶する記憶手段と、画像を表示する表示画面と、既に撮像された画面と後につなぎ合わされた画面との境界線部分のズレを補正する補正手段とを備え、
既に撮像された画像を表示画面に固定して表示し、当該画像の境界線に現在撮像中の画像を同時に表示してつなぎ合わせるパノラマ画像撮像装置であって、
上記画像の境界線が表示画面上において斜線であるパノラマ画像撮像装置。
【請求項２】
請求項１に記載のパノラマ画像撮像装置であって、上記画像の境界線は、垂直線又は水平線に切り換え可能なパノラマ画像撮像装置。
【請求項３】
請求項１又は２に記載のパノラマ画像撮像装置であって、画像をつなぎ合わせる際に上記画像の境界線を含む一部の領域を拡大表示に切り換え可能なパノラマ画像撮像装置。
【請求項４】
請求項１から３のいずれか１項に記載のパノラマ画像撮像装置であって、境界線が合致したことを報知する手段を備えたパノラマ画像撮像装置。
【請求項５】
請求項１から４のいずれか１項に記載のパノラマ画像撮像装置であって、境界線を所定の色彩に着色するパノラマ画像撮像装置。
【請求項６】
請求項１から５のいずれか１項に記載のパノラマ画像撮像装置であって、表示画面上に境界線を形成する画素の輝度を向上させるパノラマ画像撮像装置。
【請求項７】
画像を取り込むステップと、取り込んだ画像を記憶するステップと、既に撮像された画像及び現在撮像中の画像に斜線の境界線を形成にするステップと、既に撮像された画像及び現在撮像中の画像の境界線を目視で合致させるステップと、境界線上のズレを補正するステップとを備えたパノラマ画像撮像方法。
【発明の詳細な説明】
【０００１】
【発明の属する技術分野】
本発明は、複数枚の画像をつなぎ合わせてパノラマ画像を撮像することが可能なデジタルカメラなどのパノラマ画像撮像技術に関する。
【０００２】
【従来の技術】
従来の銀塩フィルムを使ったカメラでパノラマ撮影を行う場合、操作者はカメラを三脚、雲台などに固定し、まずフレーム内に目印となる地点を記憶しておき、最初のフレームを撮影する。次に操作者は、フレーム内にその目印が入るようにカメラの撮影角度を変えて次のフレームを撮影する。操作者は、このように撮影された複数枚のフレームを、各目印を合致させるように貼り合わせるなどしてパノラマ写真を作成していた。
【０００３】
最近、デジタルカメラが急速に普及し、それらの中には、パノラマ撮影機能を持つ機種も増えてきた。デジタルカメラを用いてパノラマ写真を作成する場合、操作者は、複数枚の連続する画像を撮像して、後にパソコンによるソフト処理を行い画像を結合する方法もある。
【０００４】
また、デジタルカメラに装備された液晶画面上に、以前に撮像した画像と現在の撮像中の画像を表示させて結合し、パノラマ画像を作成する方法もある。
【０００５】
デジタル撮像された複数枚の画像を結合させる方法においては、結合させる画像間の境界部を如何に高精度に、且つ容易に合致させられるかが問題となる。この点に付き様々な技術が開示されている。
【０００６】
例えば、既に撮影された画像とこれから撮影しようとする画像とを、境界部表示を介してつながり状態がわかるように同時に表示する技術が開示されている（特許文献１参照。）。
【０００７】
また、既に撮影された画像とこれから撮影しようとする画像とを同時に表示する撮影用装置において、これから撮影しようとする画像が既に撮影された画像の左側であるか又は右側であるかに応じて、これから撮影しようとする画像を既に撮影された画像の右側又は左側を指定して表示させる技術が開示されている（特許文献２参照。）。
【０００８】
また、既に撮影された画像とこれから撮影される画像とを表示画面に並べて表示し、両画像の重なる領域のうち一方の領域を透過表示として、ズレのない画像のつなぎ合わせを実現する技術が開示されている（特許文献３参照。）。
【０００９】
更に、電子的に撮像された複数枚の画像をつなぎ合わせる表示装置において、それぞれの画像の輝度を調整して境界領域を目立たせることにより、画像のつなぎ合わせを正確に行なう技術も開示されている（特許文献４参照。）。
【００１０】
【特許文献１】
特開平２−１７８６４６号公報
【特許文献２】
特開２０００−５０１３６号公報
【特許文献３】
特開２０００−２９９８０４号公報
【特許文献４】
特開平９−２８９５９８号公報（請求項９）
【００１１】
【発明が解決しようとする課題】
上記従来の方法では、複数枚の画像をつなぎ合わせるために設定される境界線、又は境界領域が全て表示画面上の垂直方向であった。
【００１２】
従って、撮像された画像の内容によっては、画像の正確なつなぎ合わせが極めて困難な場合があった。例えば、高層ビル群のパノラマ画像を撮像するときについて説明する。
【００１３】
図８は、高層ビル群を撮像した２つの画像をつなぎ合わせる場合において、対象物である高層ビルと画像の境界線との位置関係を示す図である。
【００１４】
図８のａの位置に境界線が位置する場合、境界線は、ビルとビルの間の空間部に位置し、境界線と交差する画像のエッジが存在しない。そのため、操作者は、垂直方向のズレ量も、水平方向の重ね合わせ量も正確な見当を付けることができない。その結果、つなぎ合わされた画像は、現実の風景と異なる場合がある。すなわち、垂直方向のズレが生じることによって、境界線の左側に表示されたビルと境界線の右側に表示されたビルの高さの差が不正確になることがある。また、水平方向の重ね合わせ量が不適切となる場合、境界線の左側に表示されたビルと境界線の右側に表示されたビルとの間隔が、実際の間隔と異なる場合が生じる場合がある。
【００１５】
図８のｂの位置に境界線が位置する場合、境界線と交差する画像のエッジは、ビルの屋根の稜線である。屋根の稜線部は、境界線と直交している。そのため、垂直方向のズレは容易に修正できるが、水平方向の重ね合わせ量を正確に修正することが困難となる。そのため、境界線に跨るビルの幅が実際のビルの幅より狭くなったりするおそれがある。
【００１６】
図８のｃの位置に境界線が位置する場合、境界線は、ビルの側壁部の稜線と一致している。そのため、操作者は、垂直方向のズレ量も、水平方向の重ね合わせ量も正確な見当を付けることができない。すなわち、垂直方向のズレが生じることによって、境界線の左側に表示されたビルと境界線の右側に表示されたビルの高さの差が不正確になることがある。また、水平方向の重ね合わせ量が不適切となる場合、境界線の左側に表示されたビルと境界線の右側に表示されたビルとの間隔が、実際の間隔と異なる場合が生じる場合がある。更に、つなぎ合わせた境界線部分をデジタル画像処理による合成処理などを施すと、上記稜線部の色と背景色は混合されて、稜線部が不鮮明になってしまうといった問題も生じる。
【００１７】
本発明は、上記これらの問題を解決するためになされたもので、図３に示すように、撮像された画像の内容に応じて境界線を斜線にすることにより、つなぎ合わせ処理を容易且つ正確に行なうことができるパノラマ画像撮像技術の提供することを目的とする。
【００１８】
【課題を解決するための手段】
上記課題を解決するために、請求項１に係る発明は、画像を取り込む取込手段と、取り込んだ画像を記憶する記憶手段と、画像を表示する表示画面と、既に撮像された画面と後につなぎ合わされた画面との境界線部分のズレを補正する補正手段とを備え、既に撮像された画像を表示画面に固定して表示し、当該画像の境界線に現在撮像中の画像を同時に表示してつなぎ合わせるパノラマ画像撮像装置であって、上記画像の境界線が表示画面上において斜線であるパノラマ画像撮像装置である。
【００１９】
上記取込手段は、光学レンズ、絞り機構、シャッタ機構、各種操作ボタン及び、ＣＣＤ（光電変換素子）とＣＣＤドライバ等を備えるカメラや、パソコンに接続されるスキャナやフィルムスキャナなどである。上記記憶手段は、撮像された画像データを一時的に格納する。上記補正手段は、表示画面上でつなぎ合わされた画像の境界部分のズレなどをデジタル画像処理によって補正する。
【００２０】
本発明に係るパノラマ画像撮像装置は、既に撮影された画像を記憶手段から読み出して、表示画面に表示させる。それと同時にこれから撮像しようとする画像を表示画面上に同時に表示する。パノラマ画像撮像装置は、上記画像の境界線が斜線となるように画像処理を行なう。操作者は、カメラのレンズ方向等を調整して、上記斜線の境界線上で上記両画像を一致させる。本発明においては、境界線が斜線に形成されるため、撮像される対象物が垂直方向のエッジを有するものであっても、また、水平方向のエッジを有するものであっても、容易に且つ正確に両画像をつなぎ合わせることができる。
【００２１】
パノラマ画像撮像装置は、つなぎ合わされた画像の境界線部分のズレを検出すると、上記補正手段であるデジタル画像処理によってズレを修正する。
【００２２】
請求項２に係る発明は、請求項１に記載のパノラマ画像撮像装置であって、上記画像の境界線が、垂直線又は水平線に切り換え可能なパノラマ画像撮像装置である。
【００２３】
従って、本発明に係るパノラマ画像撮像装置は、撮像される画像に応じて境界線の形態を斜線から垂直線又は水平線のいずれかに切り換えることができる。
【００２４】
請求項３に係る発明は、請求項１又は２に記載されたパノラマ画像撮像装置であって、画像をつなぎ合わせる際に上記画像の境界線を含む一部の領域を拡大表示に切り換え可能なパノラマ画像撮像装置である。
【００２５】
従って、本発明に係るパノラマ画像撮像装置は、境界線を含む一部の領域を拡大して表示することができるため、上記両画像のつなぎ合わせの作業が更に容易に且つ正確に行なうことができる。
【００２６】
本発明に係る拡大する領域は、例えば、上記境界線が斜線の場合、該斜線を対角線とする矩形領域であって、上記表示画面よりも小さい領域をいう。
【００２７】
請求項４に係る発明は、請求項１から３のいずれか１項に記載のパノラマ画像撮像装置であって、境界線が合致したことを報知する手段を備えたパノラマ画像撮像装置である。
【００２８】
従って、操作者は、上記境界線が合致したことを知らせる報知に従って、シャッタを切るなどすることにより、より容易且つ正確に画像のつなぎ合わせを行なうことができる。
【００２９】
請求項５に係る発明は、請求項１から４のいずれか１項に記載のパノラマ画像撮像装置であって、境界線を所定の色彩に着色するパノラマ画像撮像装置である。
【００３０】
従って、本発明によれば、操作者は視認しやすい色彩に着色された境界線を目視しながら画像のつなぎ合わせを行なうことができる。
【００３１】
請求項６に係る発明は、請求項１から５のいずれか１項に記載のパノラマ画像撮像装置であって、表示画面上に境界線を形成する画素の輝度を向上させるパノラマ画像撮像装置である。
【００３２】
従って、本発明によれば操作者は、つなぎ合わせる画面ごとに明るく輝度の向上した境界線を目視しながら画像のつなぎ合わせを行なうことができる。
【００３３】
請求項７に係る発明は、画像を取り込むステップと、取り込んだ画像を記憶するステップと、既に撮像された画像及び現在撮像中の画像に斜線の境界線を形成にするステップと、既に撮像された画像及び現在撮像中の画像の境界線を目視で合致させるステップと、境界線上のズレを補正するステップとを備えたパノラマ画像撮像方法である。
【００３４】
本発明に係るパノラマ画像撮像方法では、パノラマ画像撮像装置が既に撮像された画像及び現在撮像中の画像に斜線の境界線を形成にするステップを備える。
【００３５】
従って、本発明に係るパノラマ画像撮像方法によれば、表示画面上に表わされる画像が垂直方向のエッジを有するものであっても、また、水平方向のエッジを有するものであっても、操作者は上記斜線の境界線を目視で合致させるステップを経ることにより、容易且つ正確に画像をつなぎ合わせることができる。
【００３６】
【発明の実施の形態】
以下、図面に基づき本発明に係る発明の実施の形態について詳細に説明する。
【００３７】
本実施の形態は、本発明に係るパノラマ画像撮像装置をデジタルカメラに適用した場合について説明する。
【００３８】
＜デジタルカメラの構成＞
図１は、本発明を適用したデジタルカメラの外観図である。図２は、本実施形態に係るデジタルカメラの構成を示すブロック図である。本発明に係るデジタルカメラは、カメラ本体１、レンズ部２、絞り機構（図示せず。）、撮像素子であるＣＣＤ（電荷結合素子）３、シャッタボタン５、操作ボタン６、バッテリ９を備えたカメラ部、表示画面である液晶ディスプレイ７及びカメラ本体１に内蔵された回路部８等を備える。本実施形態においては、上記カメラ部が取込手段に該当する。
【００３９】
デジタルカメラの本体１の正面には、レンズ部２が設置されている。背面には、液晶ディスプレイ７を使用した表示画面が設置されている。本実施形態では、１画面の液晶ディスプレイ７が使用されている。表示画面は、１画面に限られず、２画面を併設して使用されるものであっても良い。なお、２画面を用いる場合、両画面が同じ大きさである必要はない。
【００４０】
デジタルカメラは、制御手段としてのＣＰＵ１０、記憶手段としてＲＯＭ１１やＲＡＭ１２といった各種メモリ、メモリカード１３とそのカードインターフェース１４、表示画面として液晶ディスプレイ７、液晶ディスプレイ７のための表示用メモリＶＲＡＭ１５等を備える。
【００４１】
上記ＣＣＤ３は、レンズ部２より入射した二次元画像光を電気信号に変換する。ＣＣＤドライバ４は、同期のとられたパルス信号をＣＣＤ３に印加してＣＣＤ３を駆動する。
【００４２】
ＣＰＵ１０は、演算処理装置である。ＣＰＵ１０は、ＣＣＤドライバ４、ＶＲＡＭ１５、各ＲＯＭ１１、ＲＡＭ１２等からの信号を処理し、これら各素子の駆動を制御する。
【００４３】
ＲＯＭ１１には、画像処理、補正処理、カードインターフェース制御等のプログラムが内蔵されている。ＲＯＭ１１に内蔵される画像処理プログラムは、撮像された画像を処理して、画像のつなぎ合わせのための境界線を形成する。ＲＯＭ１１に内蔵された画像補正プログラムは、つなぎ合わされた画像の境界線部分にズレが生じている場合に、そのズレを補正する。
【００４４】
ＲＡＭ１２は、上記プログラムを作動させる作業エリア及び画像の一時格納エリアを提供する。
【００４５】
ＶＲＡＭ１５は、画像を液晶ディスプレイ７に表示させるためのメモリである。ＶＲＡＭ１５は、既に撮像され上記ＲＡＭ１２に記憶されている画像を液晶ディスプレイ７に表示させる。また、ＶＲＡＭ１５は、ＣＣＤ３が現在撮像中の画像を液晶ディスプレイ７に表示させる。本実施形態では、独立したＶＲＡＭ１５を使用するが、上記ＲＡＭ１２の一部をＶＲＡＭ１５として使用することも可能である。
【００４６】
本実施形態において、表示画面として液晶ディスプレイ７が使用される。液晶ディスプレイ７は、既に撮像された画像と現在撮像中の画像を同時に表示する。
【００４７】
カードインターフェース１４は、画像を格納するメモリカード１３とデジタルカメラ本体１とのインターフェース部分である。
【００４８】
メモリカード１３は、不揮発性メモリを備えており、デジタルカメラ１で撮像された画像を格納する。メモリカード１３の種類は、特に限定されるのもではなく、実用に付されているメモリカードが使われる。
【００４９】
＜撮像方法＞
本実施形態に係るデジタルカメラの撮像方法について、図４のフローチャート図を用いて説明する。
【００５０】
デジタルカメラ本体１に画像記憶用の不揮発性メモリを内蔵する機種もあるが、本実施形態では、上記メモリカード１３に画像データを記憶する方式のものについて説明する。
【００５１】
本実施形態に係るデジタルカメラ１は、通常撮像モードとパノラマ撮像モードとを上記操作ボタン６によって、切り換えて選択することができる。以下、パノラマ撮像を行う場合について説明する。
【００５２】
操作者は、カメラ本体１の操作ボタン６によりパノラマ撮像モードを選択する（Ｓ１）。操作者は、撮像しようとする対象物の大まかな構図とパノラマ撮像しようとする範囲とを決める。操作者は、右回りでパノラマ撮像するか、左回りでパノラマ撮像するかを操作ボタン６により指定する（Ｓ２）。なお、省略値（例えば、右回り）を設定しておくことにより、この指定作業は省略することも可能である。次に、対象物の構図により画像をつなぎ合わせるための境界線のタイプを指定する（Ｓ３）。
【００５３】
境界線は、撮像しようとする対象物に応じて、画像のつなぎ合わせが容易に行なえるように決定される。例えば、対象物が水平線や地平線といった水平方向のエッジを多く含む場合には、境界線として垂直線を選択することにより、画像のつなぎ合わせが容易に行なえる。対象物が建物など垂直方向のエッジを多く含む場合には、境界線として斜線を選択することにより、画像のつなぎ合わせが容易に行なえる。また、対象物が山の稜線のように画面に対して斜め方向である場合、境界線として水平線を選択することにより、画像のつなぎ合わせが容易な場合もある。
【００５４】
本実施形態において境界線の選択は、操作者が液晶ディスプレイ７を目視しながら、操作ボタン６により手動で選択するものであるが、画像解析プログラムなどを用いて、デジタルカメラが自動的に選択できるようにすることも可能である。
【００５５】
操作者は、境界線の選択が完了すると、最初の画像の構図を決定してシャッタボタン５を押す。レンズ部２から入射した対象物の２次元画像の光束は、ＣＣＤ３の受光部で結像し、画像信号として取り出される。取り出された画像信号は、液晶ディスプレイ７の中心を原点とする座標に対応するアドレスを付与されてＶＲＡＭ１５に一時格納される（Ｓ４）。
【００５６】
アドレスの割り当てについて、画像表示規格ＱＶＧＡ（１６０×１２０ドット）の液晶ディスプレイ７を例に説明する。表示画面上のドットには、例えば、画面左上から画面右上までに（０，０）（１，０）（２，０）〜（１５９，０）の１６０のアドレスが割り当てられる。また、画面左上から画面左下までに（０，０）（０，１）（０，２）〜（０，１１９）の１２０のアドレスが割り当てられる。従って、全画面上には、１６０×１２０＝１９２００のアドレスが割り当てられることになる。フルカラー表示の場合、Ｒ色、Ｇ色、Ｂ色の各成分を８ビットで表現するため、１画素当たり２４ビット（３バイト）を必要とする。この場合、ＶＲＡＭ上の実際のアドレスは、１９２００×３＝５７６００となる。これらアドレスを割り当てられた画面上の各ドットに対応してオフセット０〜５７５９９が付与され、ＶＲＡＭに格納される。
【００５７】
画面に表示される斜線の境界線は、以下のように形成される。上記表示画面上の中心点（７９，５９）を原点（０，０）とする座標を画面上に想定する。予め境界線は、原点を通る斜線、ｙ＝ｎｘ（ｎ＞０）に設定されている。この斜線上に乗る座標を順次算出し、上記ドットに対応させる。この場合、ｘ座標が整数にならない場合、関数［ｘ］でｘ座標を整数値に変換し、斜線上に乗る座標を決定する。
【００５８】
また、境界線として垂直線が選択された場合、ｘ＝０を満たす座標の集合が境界線を形成することになる。
【００５９】
最初に撮像された画像は、画像処理プログラムにより境界線が形成された後、ＶＲＡＭ１５を経由して液晶ディスプレイ７に表示されるとともに、メモリカード１３に格納される。液晶ディスプレイ７に表示される画像は、最初に撮像された画像のうち境界線を含む一部分である。
【００６０】
操作者は、次の画像の撮像を開始する（Ｓ５）。
【００６１】
最初に撮像された画像を液晶ディスプレイ７に表示する際、上記境界線を際立たせて画像をつなぎやすくするため、境界線を無色にしたり、補色を使用したり、あるいは赤色など所定の色彩に着色することもできる。
【００６２】
図５に示すように、パノラマ画像を構成する各画像は、実際にパノラマ画像に使用される領域の上下左右に画像のつなぎ合わせのための余裕部分αを持って撮像されている。このように余裕部分αを持って撮像されることにより、斜線の境界線が選択された場合においても、余裕部分内で境界線を形成することにより、つなぎ合わせようとする最初の画像に欠損部分が生じない。
【００６３】
次に操作者は、最初の画像につなぎ合わせる画像を撮像するために、デジタルカメラ１を右方向へ回転させる。液晶ディスプレイ７には、既に撮像されて境界線の形成された画像が画面の左側に固定されて表示されている。液晶ディスプレイ７の右側には、現在撮像中の画像がデジタルカメラ１の向きに応じて変化しながら表示されている（Ｓ７）。デジタルカメラ１の回転方向が左回り設定である場合、現在撮像中の画像は、液晶ディスプレイ７の左側に表示されることになる（Ｓ８）。
【００６４】
操作者は、液晶ディスプレイ７に表示された２つの画像が境界線で合致するようにデジタルカメラ１の向きを調整する（Ｓ９）。液晶ディスプレイ７に表示される画像は、上記境界線をｙ＝ｆ（ｘ）の関数で表わした場合、ｙ＞ｆ（ｘ）の領域に既に撮像された画像が表示され、ｙ＜ｆ（ｘ）の領域に現在撮像中の画像が表示される。なお、左回りでパノラマ画像をつなぎ合わせる場合は、ｙ＜ｆ（ｘ）の領域に既に撮像された画像が表示され、ｙ＞ｆ（ｘ）の領域に現在撮像中の画像が表示される。
【００６５】
当初設定した境界線によって画像がつなぎ合わせにくい場合は、境界線のタイプを切り換えることも可能である。
【００６６】
２つの画像の境界線が略合致した状態で操作者は、シャッタボタン５を半押し状態にする。シャッタボタン５が半押し状態になると、デジタルカメラ１は、組み込まれたプログラムに従い、境界線上の画像の合致状態を照合する。
【００６７】
合致状態の照合は以下のように行なわれる。図６に示すように、既に撮像した画像の境界線ｄと撮像された対象物のエッジが交差する点Ｐを走査して選択する。この交差する点Ｐを含む所定の領域Ｓ内に、上記交差する点と同じ色相、明度を有する点Ｐ′を走査して照合し、位相差を求める。この作業を所定回数繰り返し位相差の集合を求める。求められた位相差の集合と境界線上の上記各交差する点の座標から判断して水平方向、垂直方向、及び傾きのズレを算出する。
【００６８】
その結果、ズレが検出された場合、デジタルカメラ１は、そのズレが上記画像補正プログラムによって補正可能かどうかを判断する。すなわち、図７に示すように、上記位相差のうち最も位相差の大きい座標Ｑを抽出し、その座標点と予め設定された座標軸上の直線ｋ：ｙ＝ｎｘ＋ｍ（ｍ＜０）との関係を検証する。
【００６９】
最も位相差の大きい点Ｑがｙ＞ｎｘ＋ｍの範囲にあるとき、デジタルカメラ１は、補正可能である旨の通報を発するとともに、ズレを補正する。一方、最も位相差の大きい点Ｑがｙ＜ｎｘ＋ｍの範囲にあるとき、デジタルカメラ１は、補正不可能である旨の通報を発する。補正不可能の通報を受けた場合、操作者は再びデジタルカメラの向きを調節して上記境界線を合致させる。
【００７０】
更に、座標上の直線ｊ：ｙ＝ｎｘ＋Ｌ（Ｌ＜ｍ）を設定し、上記最も位相差の大きい点Ｑがｙ＞ｎｘ＋ｍ、ｎｘ＋ｍ＜ｙ＜ｎｘ＋Ｌ、あるいはｙ＜ｎｘ＋Ｌのいずれの範囲に含まれるかによって、２段階の通報を発するようにすることも可能である。
【００７１】
補正が完了すると、デジタルカメラ１は、ＬＥＤ、ブザー、液晶ディスプレイ７上への画面表示等の手段により、操作者に補正の完了を通報する。デジタルカメラ１は、補正がが完了した画像をメモリカード１３に格納する（Ｓ１０）。
【００７２】
本実施形態において、操作者が目視により画像のつなぎ合わせを行なう際に、液晶ディスプレイ７上の所定領域を拡大して表示することも可能である。拡大される所定領域は、上記境界線を含む領域であって、既に撮像した画像に形成された境界線と撮像された対象物のエッジが交差する点を含む領域が望ましい。このように拡大される領域は、予め表示画面の中央部に固定的に設定されており、操作ボタン６等により倍率を切り換える方式をとることができる。あるいは、タッチパネル機構を用いて境界線上の所望位置に操作者が触れることにより、その接触点を含む領域を拡大表示する方式をとることも可能である。
【００７３】
操作者は、拡大表示された画面により、更に正確な画像のつなぎ合わせが可能となる。
【００７４】
更に画像をつなぎ合わせるときには、Ｓ４から同様の作業を繰り返す（Ｓ１１）。
【００７５】
＜他の実施の形態＞
本発明に係るパノラマ画像撮像装置は、カメラ付きのパソコン、ＰＤＡ等にも適用できるし、カメラを持たないパソコンに適用することも可能である。操作者は、スキャナやフィルムスキャナ等の画像取込手段を用いて取り込まれた画像、あるいはデジタルカメラの通常モードで撮像された画像をパソコンの画面上で上記実施例と同様の方法によりパノラマ画像に処理することができる。
【００７６】
【発明の効果】
本発明によると、複数の画像をつなぎ合わせてパノラマ画像を作成する際、画像のつなぎ合わせを容易且つ正確に行なうことができる。
【００７７】
特に、画像の境界線を斜線に設定できるため、従来、境界線として用いられていた垂直線や水平線ではつなぎ合わせが困難な画像であっても、容易且つ正確につなぎ合わせることができる。
【図面の簡単な説明】
【図１】本発明を適用したデジタルカメラの外観図である。
【図２】本発明を適用したデジタルカメラの構成を示すブロック図である。
【図３】本発明に係る斜線の境界線による画像のつなぎ合わせを示す図である。
【図４】本発明に係るデジタルカメラの撮像方法を示すフローチャート図である。
【図５】撮像された画像の余裕部分を示す図である。
【図６】本発明に係る補正手段による照合範囲を示す図である。
【図７】本発明に係る補正手段による照合領域を示す図である。
【図８】従来のパノラマ画像のつなぎ合わせ処理を示す図である。
【符号の説明】
１　カメラ本体
２　レンズ部
３　ＣＣＤ
７　液晶ディスプレイ（表示画面）
８　回路部
１０　ＣＰＵ
１１　ＲＯＭ
１２　ＲＡＭ
１５　ＶＲＡＭ
【図１】
2004120226.tif 000003
【図２】
2004120226.tif 000004
【図３】
2004120226.tif 000005
【図４】
2004120226.tif 000006
【図５】
2004120226.tif 000007
【図６】
2004120226.tif 000008
【図７】
2004120226.tif 000009
【図８】
2004120226.tif 000010